(57)【要約】  【解決手段】  ラック（１０７）と、プラテン（１１６）を前進させるピニオン（１０８）とを備えた丸薬粉砕装置（１０）である。丸薬粉砕装置は、混合または投薬を容易化するなどの様々な医薬上の理由から、丸薬を粉砕して粉剤にするために使用される。ハンドル（１１５）上のピニオン（１０８）を回転させると、滑り路（１０７ｂ）上のラック（１０７）が直線状に前進する。この滑り路（１０７ｂ）は、アンビル（１１７）に向かって前進するプラテン（１１６）に取付けられている。プラテン（１１６）を前進させることで、アンビル（１１７）付近に配置した小袋の中の丸薬が粉砕される。一実施形態では、アンビル挿入物の成形面（２１７ｓ）がプラテンの補助成形面（２１６ｓ）と合致することによって丸薬の粉砕が促進される。本発明は、商業用ならびに個人用に使用される効率的で頑丈な丸薬粉砕装置を提供する。【選択図】図３
2010502421.tif 000002
【特許請求の範囲】
【請求項１】
丸薬粉砕装置であって、
ベースと、
前記ベースに保持されたベース滑り路と、
前記ベース滑り路と係合して、その間に比較的直線的な動作が得られるようにするラック滑り路と、
前記ラック滑り路に取付けられたラックと、
前記ベースに旋回可能に取付けられたハンドルと、
前記ハンドルの一端に取付けられ、前記ラックと合致するように設けられたピニオンと、
前記ラックに取付けられたプラテンと、
前記ベースに取付けられたアンビルとを備えており、
前記ハンドルを動かすと、前記ピニオンが前記ラックと合致して前記プラテンを前記アンビルに向かって前進させることで、前記プラテンと前記アンビルの間に配置した丸薬が粉砕される、丸薬粉砕装置。
【請求項２】
前記アンビルは取外し可能なアンビル挿入物をさらに備えている、請求項１に記載の丸薬粉砕装置。
【請求項３】
前記取外し可能なアンビル挿入物と前記プラテンは、合致する形状の表面を設けている、請求項２に記載の丸薬粉砕装置。
【請求項４】
前記合致する形状の表面は、複数の合致する凹部と凸部の配列を備えている、請求項３に記載の丸薬粉砕装置。
【請求項５】
前記合致する形状の表面は同心円を備えている、請求項３に記載の丸薬粉砕装置。
【請求項６】
前記合致する形状の表面は直線状の隆起部を備えている、請求項３に記載の丸薬粉砕装置。
【請求項７】
前記ハンドルの下の、前記ベース上に形成された小袋ディスペンサをさらに備える、請求項１に記載の丸薬粉砕装置。
【請求項８】
丸薬粉砕装置であって、
ベースと、
前記ベースに取付けられた滑り路と、
アンビル支持部と、
成形面を設けたアンビル挿入物と、
前記滑り路に結合して、前記ラックが前記アンビルへと直線状に移動できるようにするラックと、
前記ラックと合致するギア車輪と、
前記ギア車輪に取付けられたハンドルと、
前記アンビル挿入物の成形面と合致する補助的な成形面を設け、前記ラックに取付けられているプラテンとを備えており、
前記ハンドルを動かすと前記ギア車輪が回転し、これにより、前記ラックとこれに取付けられているプラテンとが前記アンビル挿入物へと移動することで、これらの間に配置した丸薬を粉砕する、丸薬粉砕装置。
【請求項９】
前記成形面と前記補助成形面は、複数の合致する凹部と凸部の配列を備えている、請求項８に記載の丸薬粉砕装置。
【請求項１０】
前記成形面と前記補助成形面は同心円を備えている、請求項８に記載の丸薬粉砕装置。
【請求項１１】
前記成形面と前記補助成形面は直線状の隆起部を備えている、請求項８に記載の丸薬粉砕装置。
【請求項１２】
前記ハンドルの下の、前記ベース上に形成された小袋ディスペンサをさらに備えている、請求項７に記載の丸薬粉砕装置。
【請求項１３】
丸薬を粉砕する上で機械的利点を提供する装置であって、
ベースと、
前記ベースの一端に一体形成され、ここから実質的に垂直に延びているアンビル支持部と、
前記ベースの別の一端に形成された小袋格納用くぼみと、
前記ベース内に形成された一対の対向するスタンドと、
前記ベース内の、前記一体形成されたアンビルと前記小袋格納用くぼみとの間に形成されているベース滑り路支持部と、
前記ベース滑り路支持部の上に配置された肩部を設けているラック支持および滑り路と、
前記肩部の上に配置され、前記ベース滑り路支持部に取付けられているベース支持部頂部滑り路とを備え、これにより、前記ラック支持部および滑り路は前記ベースに保持され、前記ベースの縦軸に沿って滑ることで、前記一体形成型のアンビルに向かったり、これから離れられるようになっており、
前記装置は、前記ラック支持部および滑り路に取付けられたラックと、
前記一対の対向するスタンドに旋回可能に取付けられたハンドルと、
前記ハンドルに結合されており、前記ラックと合致するピニオンとをさらに備え、これにより、前記ハンドルが回転すると前記ラックが直線移動し、
前記ラックに取付けられている、成形面を設けたプラテンと、
前記一体形成されたアンビル支持部の付近に位置する、前記成形面と合致する補助成形面を設けたアンビル挿入物と、
前記ベースに取付けられたカバーとをさらに備えており、
前記ハンドルの回転動作は、前記プラテンと前記アンビル挿入物の間に配置した小袋の中の丸薬を粉砕するために、前記プラテンを前記アンビル挿入物に対して前進させる直線動作に変換される、丸薬を粉砕する上で機械的利点を提供する装置。
【請求項１４】
前記成形面と前記補助成形面は、複数の合致する凹部と凸部の配列を備えている、請求項１３に記載の丸薬を粉砕する上で機械的利点を提供する装置。
【請求項１５】
前記成形面と前記補助成形面は同心円を備えている、請求項１３に記載の丸薬を粉砕する上で機械的利点を提供する装置。
【請求項１６】
前記成形面と前記補助成形面は直線状の隆起部を備えている、請求項１３に記載の丸薬を粉砕する上で機械的利点を提供する装置。
【発明の詳細な説明】
【技術分野】
【０００１】
本発明は概して丸薬粉砕装置に関し、より詳細には、ギア／レバー／ラックシステムを利用する機械的利点を持った丸薬粉砕装置に関する。特定の医薬上の理由から丸薬を粉砕して散剤にする必要があるケア提供者または患者に対し、効率的な解決法を提供することを目的とする。
【背景技術】
【０００２】
多くの場合、薬剤は丸薬または錠剤の形状をしている。しかし、こうした形状では臨床応用の要求を満たせない場合が頻繁にある。いくつかのケースでは、丸薬または錠剤のサイズが大きすぎるためにそのままでは嚥下が困難であり、場合によっては１錠では効き目が強すぎることがある。例えば小児や老人といった患者、またはその他の特定の疾病を持った患者にとっては、丸薬や錠剤を１錠丸のまま嚥下することは困難である。そのため、こうした状況では、丸薬または錠剤の形態をした薬剤を粉砕して粉体化し、これをアップルソースやゼリーのような食品と混合し液体に加えることで、嚥下や消化を容易にする必要があることが認識されている。
【０００３】
現在、市場では、専門の医療提供者向けと個人的に使用する一般人向けの両方の「丸薬粉砕装置」が数多く出回っている。
【０００４】
従来の丸薬粉砕装置は、擂り潰しや叩き潰しに利用する乳鉢および乳棒の使用を含んだ様々な動作機構に依存する。これに加え、丸薬や錠剤を小片または粉体にするために研削、圧縮、破砕、粉砕する様々な手動式あるいはモータ駆動式の装置が存在する。しかしながら、現在市場に出回っている全ての製品には、丸薬または錠剤の粉砕の信頼性および効力に伴う弱点があり、特に、強力な解決法を必要とする専門のケア提供者向けのものではこの弱点が顕著となる。
【０００５】
例えば、１９９９年６月２９日発行の、Ｊ．Ｓｔｕａｒｔ  Ｐａｒｓｏｎｓによる米国特許第５、９１５、６３７号は、ハンドルの回転運動を、板と細長いベースに垂直に固定されたアンビルとの間で丸薬を粉砕するためにハンドルとベースに旋回可能に接続している板の「Ｖ字型」運動に変換する動作機構を備えた丸薬粉砕装置を開示している。この装置には、粉砕する丸薬を入れるための小袋も提供されている。この従来の装置の場合、アンビルに到達する板の「Ｖ字型」運動から生じる粉砕動作では、１回の動作で丸薬を所望の粉剤にまでするには不十分である。所望の粉剤を得るためには、この動作を繰り返すことが必須である。これに加え、通常のメンテナンス中、または丸薬用小袋を誤って破損してしまった場合には、粉砕範囲を清掃することが困難になる。その結果、清掃の困難性から薬剤の交差汚染が生じる可能性がある。
【先行技術文献】
【特許文献】
【０００６】
【特許文献１】米国特許第５、９１５、６３７号
【発明の概要】
【発明が解決しようとする課題】
【０００７】
したがって、従来技術についての上の説明を考慮すると、多様な丸薬または錠剤を粉砕するためのコンパクトで万能な設計を有し、さらに、簡単であるが信頼性が高く、静かで、労力を要さず効率的な方法で動作し、また、維持と清掃が簡単で、産業用途と施設用途の両方に適し、丸薬または錠剤の汚染の可能性を効果的に低減できる装置が必要である。
【０００８】
要するに、既存の装置に伴う欠点の殆どを解決する丸薬粉砕装置が必要である。また、簡単に使用でき、頑丈で、信頼性が高く、清掃および維持が簡単な装置が必要である。
【課題を解決するための手段】
【０００９】
ここで開示された本発明は上述の要求を全て解決することができ、また、特に専門のケア提供者に対して、丸薬または錠剤の粉砕への「これだけで全て間に合う解決法」を提供する。このために、ギア／レバー／ラックの組合せを使用して、小袋内の丸薬をアンビルに押圧して粉砕するべくプラテンを均一に前進させる。
【００１０】
本発明のこの好ましい実施形態は、垂直に延びたアンビルが一端に一体鋳造された矩形ベースと、中央に設けられたギア／レバー／ラック送りシステムと、他端に設けられた小袋ディスペンサとを備えた丸薬粉砕装置である。ギア／レバーは、ベース上で、支持部どうしの間に心棒によって固定されており、また、ベースに取付けた滑り路に沿って往復運動できるラックと合致する。ギア／レバーの回転は、合致したラックの滑り路に沿った直線運動に変換される。この力が、小袋内に入れた丸薬をアンビルに対して粉砕するべくラックの一端に取付けられたプラテンを移動させる。アンビルの湾曲または成形された表面と、これと合致するプラテンとによって、丸薬の微細な粉剤への粉砕が促進される。異なる湾曲面または成形面を設けた、交換可能あるいは固定されたアンビルとプラテンを使用することができる。
【００１１】
本発明の好ましい実施形態では多数の利点が認められる。第１に、ギア／レバー／ラックシステムは力の要らない、人間工学的な動作方法を提供するため、使用者はこのシステムから実質的に機械的な恩典を得ることができる。第２に、プラテンが水平運動することで、丸薬が小袋内で滑ることを防止でき、さらに、作業範囲を清掃するのに十分な空間が得られる。第３に、合致する湾曲または成形を施したプラテンとアンビルにより、丸薬を効率的な方法で微細な粉剤に粉砕することが促進される。要するに、この丸薬粉砕装置の信頼性、有効性、適応性、使い易さ、メンテナンスの容易さのために、特に商業または産業環境において使用者は優れた丸薬粉砕を実施できるようになる。
【００１２】
したがって、本発明の目的は、効率的で使い易い丸薬粉砕装置を提供することである。
【００１３】
本発明の別の目的は、機械的に比較的単純でありながら非常に強力な丸薬粉砕装置を提供することである。
【００１４】
本発明の利点は、ギアのピッチを変更することにより、ラックとピニオンの連動を、各度数の力と直線移動を提供するよう容易に調整できることである。
【００１５】
また、本発明の利点は、清掃時に容易に分解できることである。
【００１６】
本発明の特徴は、ギア／レバー／ラック機構を使用して回転運動を直線運動に変換することである。
【００１７】
また、本発明の特徴は、成形を施したアンビルと、これと合致するように成形されたプラテンを使用することである。
【００１８】
本発明の一実施形態の特徴は、アンビルとプラテンが、複数の凹部と凸部で構成された合致する配列の表面を設けていることである。
【００１９】
本発明のさらに別の特徴は、ハンドル端部の付近に小袋格納用容器部分が設けられていることである。
【００２０】
本発明のこれらまたこれ以外の目的、利点、特徴は、以下の図面、詳細な説明、添付の請求項からより完全に明白となる。
【図面の簡単な説明】
【００２１】
【図１】本発明を示す斜視図である。
【図２】本発明を示す組立分解図である。
【図３】カバーを省略した状態の本発明を示す斜視図である。
【図４Ａ】凹部と凸部の配列を設けた、合致するアンビルとプラテンの斜視図である。
【図４Ｂ】同心円を設けた、合致するアンビルとプラテンの斜視図である。
【図４Ｃ】直線状の隆起部を設けた、合致するアンビルとプラテンの斜視図である。
【発明を実施するための形態】
【００２２】
以下の本発明の好ましい実施形態は単純に例証を目的としたものであり、その本質的要素から逸脱しない他の形態に限定されるものではない。添付の図面に示されている参照符号は本発明の好ましい実施形態の構成部品、構造、動作機構を表す。符合１０は、本発明の一実施形態による装置の全体を示す。
【００２３】
図１〜図３に、本装置の主要な構成部品を示す。丸薬粉砕装置１０は、一体形成されたアンビル支持部１０２を一端に設けた矩形ベース１０１と、中央のギア／レバー／ラックシステムと、カバー１１５を設けている。アンビル支持部１０２の外面に形成されている３つの隆起部１０２ａ、１０２ｂ、１０２ｃにより、支持能力が増し、固定度が改善される。２個のスタンドまたは支持部１０３ａ、１０３ｂがギア／レバー／ラックシステムを支持している。ベーススライダ頂部支持部１０７ａはベース１０１に取付けられている。ベーススライダ頂部支持部１０７ａにはベース支持部頂部滑り路１０５が取付けられている。ラック支持および滑り路１０７はベース支持部頂部滑り路１０５に固定されている。ラック滑り路肩部１０６はベース支持部頂部滑り路１０５を保持している。そのため、ラック支持部および滑り路１０７ｂに取付けられたラック１０７が、これとラック滑り路肩部１０６の間にベース支持部頂部滑り路１０５を保持する。これにより、ラック１０７がベース１０１に保持される一方で、ベースの縦軸に沿って直線的に滑ることができるようになる。
【００２４】
ギア付き車輪またはピニオン１０８がラック１０７と合致している。このギア付き車輪またはピニオンは、スタンドまたは支持部１０３ａ、１０３ｂの２個の穴の中で、心棒１０９、および２個の特別なリング１１０ａ、１１０ｂと共に回転する。ハンドル１１４は心棒１０９に取付けられて、ギア付き車輪またはピニオン１０８の回転運動を制御する。心棒１０９はギア付き車輪またはピニオン１０８に止めピンにより固定されている。この心棒１０９の断面形状は四角形であり、ハンドル１１４の四角形の穴と合致する。心棒１０９は適所にてボルト１１１留めされている。
【００２５】
ラック１０７の、アンビル１０２に近い一端にはプラテン１１６が固定されている。プラテン１１６には、２個のネジ穴１１３ａ、１１３ｂ内に配置された図示にはない２本のネジによって矩形の箱１１２が接続されている。この矩形の箱１１２はその下に位置するラック１０７に固着されているため、本装置の固定度が拡張し、プラテン１１６上にかかる力が均等化される。アンビル支持部１０２は２本の溝１０２ｄ、１０２ｅを設けている。この２本の溝１０２ｄと１０２ｅの間にアンビル挿入物１１７が位置している。アンビル挿入物１１７はアンビル挿入面１１７ｓを設けている。プラテン表面１１６ｓとアンビル挿入面１１７ｓがぴったり合致することにより、優れた丸薬粉砕が得られる。この実施形態では、プラテン表面１１６ｓおよびこれとぴったり合致するアンビル挿入面１１７ｓとは同心円で形成されている。しかしながら、これ以外の合致形状の使用も可能である。
【００２６】
ハンドル１１４、ラック１０７、または他の部品が過剰回転によって損傷することを防止するために、ベース１０１の中央部の中に停止部１１８を設けている。ギア／レバー／ラックシステムの殆どの部分はカバー１１５によって覆われる。カバー１１５には、ベース１０１に形成された小袋格納用くぼみ１０１ｃと組合せて、丸薬粉砕に使用される小袋を納置するための小袋ディスペンサとして機能する開口部が設けられている。
【００２７】
次に、本装置の動作について説明する。本装置は、ギア付き車輪またはピニオン１０８の回転運動を利用して、合致したラック１０７のための押力を作成する。この回転力が、ベース１０１によって保持されているラック１０７のラック支持部および滑り路１０７ｂに沿った前進または直線運動に変換される。これにより、取付けられたプラテン１１６がアンビル挿入物１１７に向かって直線的に移動され、これらの間に配置されている図示にはない小袋に入った丸薬を粉砕する。縦軸、ハンドル１１４をずらすことができれば、より安定し効率的な動作が得られる。
【００２８】
図４Ａ〜図４Ｃは、別形状のアンビル挿入物およびプラテンの実施形態を示す。図４Ａに示す実施形態では、表面２１７ｓを設けたアンビル挿入物２１７と、表面２１６ｓを設けたプラテン２１６のそれぞれには、複数の合致する凹部と凸部による配列面が設けられている。この複数の合致する凹部と凸部により、これらの間に配置した丸薬または錠剤の保持および粉砕が促進される。アンビル挿入物肩部２１７ｄ、２１７ｅは、図１に示したアンビル溝１０２ｄ、１０２ｅ内に滑入する。図４Ｂは、図１〜図３のアンビル挿入物１１７とプラテン１１６をよりわかりやすく示している。アンビル挿入物肩部１１７ｄ、１１７ｅは、図１に示したアンビル溝１０２ｄ、１０２ｅ内に滑入する。図４Ｃは、成形されたアンビル挿入物３１７と、表面３１６ｓを設けたプラテン３１６とによる別の実施形態を示す。図４Ｃのこの実施形態では、成形面が直線状の隆起部と合致する。アンビル挿入物肩部３１７ｄ、３１７ｅは、図１に示したアンビル溝１０２ｄ、１０２ｅ内に滑入する。
【００２９】
これまでの説明から、本発明は、主に商業用、産業用、施設用とされるが、さらに個人用としても簡単に使用できる、丸薬または錠剤を粉砕するためのコンパクトなプラットホームを提供することが明らかである。本装置は人間工学的に単純であり、信頼度の高い動作が得られる。
【００３０】
本発明を数例の異なる実施形態に関連して説明したが、本発明の趣旨および適用範囲から逸脱しない限り様々な変更を加えられることが明白である。
【図１】
2010502421.tif 000003
【図２】
2010502421.tif 000004
【図３】
2010502421.tif 000005
【図４Ａ】
2010502421.tif 000006
【図４Ｂ】
2010502421.tif 000007
【図４Ｃ】
2010502421.tif 000008
【国際調査報告】
2010502421.tif 000009
2010502421.tif 000010